(57)【要約】      （修正有）【課題】設置方向を変更しても再生音の拡散方向を所定の方向に維持できるスピーカーシステムを提供する。【解決手段】スピーカーシステム１００は、筐体１０と、該筐体の正面に取り付けられた低音スピーカーユニット３１と、該筐体の正面に取り付けられた、少なくとも２つの中音スピーカーユニット３２Ｘ、３２Ｙおよび少なくとも２つの高音スピーカーユニット３３Ｘ、３３Ｙを含むスピーカーユニット取り付け部材２０と、を備え、該スピーカーユニット取り付け部材は、少なくとも１つの中音スピーカーユニットおよび高音スピーカーユニットの音放射面Ｘと、別の少なくとも１つの中音スピーカーユニットおよび高音スピーカーユニットの音放射面Ｙとが別の方向を向くように構成され、且つ、該筐体への取り付けの向きが正面視で９０°変更可能となるように該筐体に取り付けられている。【選択図】図１
2015065496.tif 000002
【特許請求の範囲】
【請求項１】
筐体と；
該筐体の正面に取り付けられた低音スピーカーユニットと；
該筐体の正面に取り付けられた、少なくとも２つの中音スピーカーユニットおよび少なくとも２つの高音スピーカーユニットを含むスピーカーユニット取り付け部材と；を備え、
該スピーカーユニット取り付け部材は、
少なくとも１つの中音スピーカーユニットおよび高音スピーカーユニットの音放射
面Ｘと、別の少なくとも１つの中音スピーカーユニットおよび高音スピーカーユニッ
トの音放射面Ｙとが別の方向を向くように構成され、且つ、
該筐体への取り付けの向きが正面視で９０°変更可能となるように該筐体に取り付
けられている、
スピーカーシステム。
【請求項２】
音放射面Ｘと音放射面Ｙとが、前記筐体の正面の長手方向に直交し且つ前記筐体の正面に直交する平面を対称面とする略面対称の関係にある、請求項１に記載のスピーカーシステム。
【請求項３】
前記筐体の正面の長手方向が水平面に対して略平行となるように設置した場合、および、前記筐体の正面の長手方向が鉛直面に対して略平行となるように設置した場合の何れであっても、音放射面Ｘおよび音放射面Ｙを略鉛直面とすることが可能な、請求項２に記載のスピーカーシステム。
【請求項４】
前記スピーカーユニット取り付け部材が正面視正方形状であり、前記スピーカーユニット取り付け部材の前記筐体に対向する面側且つ該正方形の各辺中央部に永久磁石Ａ、Ｂ、ＣおよびＤが正面視右回りまたは左回りでこの順に中心角９０°の間隔で設けられ、永久磁石Ａ、Ｂ、ＣおよびＤの前記筐体と対向する表面がこの順にＮ極、Ｎ極、Ｓ極およびＳ極に着磁しており、
前記筐体の、永久磁石Ａ、Ｂ、ＣおよびＤに対向する位置に、それぞれ永久磁石ａ、非着磁磁性体ｂ、永久磁石ｃ、および非着磁磁性体ｄが設けられ、永久磁石ａおよびｃの前記スピーカーユニット取り付け部材と対向する表面がこの順にＳ極およびＮ極に着磁している、請求項１〜３の何れか１項に記載のスピーカーシステム。
【発明の詳細な説明】
【技術分野】
【０００１】
本発明は、スピーカーシステムに関する。
【背景技術】
【０００２】
スピーカーシステム（例えば、カラオケ用スピーカーシステム）には、複数の聴取者に再生音が等しく到達するように、水平方向の指向性に配慮されている製品が多く見られる。水平方向の指向性を広げるためには、通常、スピーカーユニットの音放射面が別の方向を向く複数の鉛直面となるように、複数のスピーカーユニットが取り付けられている。
【０００３】
一方で、例えば設置場所との関連から、スピーカーシステムを正面視横長の状態での設置（水平設置）から正面視縦長の状態での設置（垂直設置）に設置方向を変更したり、その逆の変更をしたりする必要がある場合がある。しかしながら、スピーカーシステムを何れかの向きに９０°回転して設置方向を変更した場合には、上記複数のスピーカーユニットの音放射面が鉛直面でなくなり、再生音の拡散方向が水平方向から垂直方向に変化してしまう。したがって、従来のスピーカーシステムには、再生音の拡散方向を水平方向に保ったまま、設置方向を変更することができないという問題がある。
【先行技術文献】
【特許文献】
【０００４】
【特許文献１】特開２００５−３０３８５２号公報
【発明の概要】
【発明が解決しようとする課題】
【０００５】
本発明は上記従来の課題を解決するためになされたものであり、その目的とするところは、設置方向を変更しても再生音の拡散方向を所定の方向に維持し得るスピーカーシステムを提供することにある。
【課題を解決するための手段】
【０００６】
本発明のスピーカーシステムは、
筐体と；
該筐体の正面に取り付けられた低音スピーカーユニットと；
該筐体の正面に取り付けられた、少なくとも２つの中音スピーカーユニットおよび少なくとも２つの高音スピーカーユニットを含むスピーカーユニット取り付け部材と；を備え、
該スピーカーユニット取り付け部材は、
少なくとも１つの中音スピーカーユニットおよび高音スピーカーユニットの音放射
面Ｘと、別の少なくとも１つの中音スピーカーユニットおよび高音スピーカーユニッ
トの音放射面Ｙとが別の方向を向くように構成され、且つ、
該筐体への取り付けの向きが正面視で９０°変更可能となるように該筐体に取り付
けられている。
１つの実施形態においては、音放射面Ｘと音放射面Ｙとが、上記筐体の正面の長手方向に直交し且つ上記筐体の正面に直交する平面を対称面とする略面対称の関係にある。
１つの実施形態においては、上記筐体の正面の長手方向が水平面に対して略平行となるように設置した場合、および、上記筐体の正面の長手方向が鉛直面に対して略平行となるように設置した場合の何れであっても、音放射面Ｘおよび音放射面Ｙを略鉛直面とすることが可能である。
１つの実施形態においては、上記スピーカーユニット取り付け部材が正面視正方形状であり、上記スピーカーユニット取り付け部材の上記筐体に対向する面側且つ該正方形の各辺中央部に永久磁石Ａ、Ｂ、ＣおよびＤが正面視右回りまたは左回りでこの順に中心角９０°の間隔で設けられ、永久磁石Ａ、Ｂ、ＣおよびＤの上記筐体と対向する表面がこの順にＮ極、Ｎ極、Ｓ極およびＳ極に着磁しており、
上記筐体の、永久磁石Ａ、Ｂ、ＣおよびＤに対向する位置に、それぞれ永久磁石ａ、非着磁磁性体ｂ、永久磁石ｃ、および非着磁磁性体ｄが設けられ、永久磁石ａおよびｃの上記スピーカーユニット取り付け部材と対向する表面がこの順にＳ極およびＮ極に着磁している。
【発明の効果】
【０００７】
本発明のスピーカーシステムにおいては、筐体への取り付けの向きが正面視で９０°変更可能となるように、スピーカーユニット取り付け部材が筐体に取り付けられているので、設置方向を変更しても再生音の拡散方向を所定の方向に維持し得る。
【図面の簡単な説明】
【０００８】
【図１】図１は、本発明の１つの実施形態によるスピーカーシステムの概略斜視図である。
【図２】図２は、本発明の１つの実施形態に用いられる筐体を示す概略斜視図である。
【図３】図３は、本発明の１つの実施形態に用いられるスピーカーユニット取り付け部材を示す概略背面斜視図である。
【図４】図４は、本発明の１つの実施形態によるスピーカーシステムの別の状態の概略斜視図である。
【図５】図５は、本発明の別の実施形態によるスピーカーシステムに用いられる筐体およびスピーカーユニット取り付け部材を示す概略斜視図である。
【発明を実施するための形態】
【０００９】
以下、図面を参照して本発明の実施形態について説明するが、本発明はこれらの実施形態には限定されない。なお、本明細書において、「略面対称」、「略平行」および「略鉛直」とは、それぞれ厳密に「面対称」、「平行」および「鉛直」である状態に対して、０°±２０°の誤差がある範囲を包含し、上記誤差は、好ましくは０°±１０°、さらに好ましくは０°±５°、特に好ましくは０°±３°である。
【００１０】
図１は、本発明の１つの実施形態（第１の実施形態）によるスピーカーシステム１００の概略斜視図である。スピーカーシステム１００は、筐体１０と、低音スピーカーユニット３１と、スピーカーユニット取り付け部材２０とを備える。低音スピーカーユニット３１とスピーカーユニット取り付け部材２０とは、筐体１０の正面に取り付けられている。
【００１１】
図２は、本実施形態のスピーカーシステム１００に用いられる筐体１０を示す概略斜視図である。代表的には、筐体１０は正面視横長の箱体である。図示例では、低音スピーカーユニット３１は、筐体１０の正面の中央部よりも正面視右側に取り付けられている。代表的には、筐体１０の正面には開口部１３が形成されている。代表的には、開口部１３は正面視略正方形状である。図示例では、開口部１３は、筐体１０の正面の中央部よりも正面視左側に形成されている。
【００１２】
スピーカーユニット取り付け部材２０は、筐体１０の正面に取り付けられている。図示例では、スピーカーユニット取り付け部材２０は開口部１３を覆って取り付けられている。スピーカーユニット取り付け部材２０の正面視での形状は、代表的には開口部１３に対応する形状であり、図示例では正方形状である。代表的には、スピーカーユニット取り付け部材２０の立体形状は、略多角形柱状（例えば略三角柱状および略四角柱状であり、図示例では略三角柱状である）である。代表的には、上記略多角形柱は、筐体１０の外側に側面を有する（すなわち、筐体１０の外側に凸である）。上記側面は略鉛直面であり得る。上記略多角形柱の上記略鉛直面の数は２以上（例えば２〜８、好ましくは２〜４、図示例では２つ）であり得る。上記２以上の略鉛直面のうち少なくとも２つ（図示例では２つ）の略鉛直面は、筐体１０の正面に直交し且つ長手方向に直交する平面を対称面とする略面対称の関係にあり得る。
【００１３】
スピーカーユニット取り付け部材２０は、少なくとも２つ（例えば２〜８、好ましくは２〜４）の中音スピーカーユニット３２、および少なくとも２つ（例えば２〜８、好ましくは２〜４）の高音スピーカーユニット３３を含む。図示例では、スピーカーユニット取り付け部材２０は、中音スピーカーユニット３２Ｘおよび３２Ｙ、ならびに高音スピーカーユニット３３Ｘおよび３３Ｙを含む。中音スピーカーユニット３２Ｘと高音スピーカーユニット３３Ｘとは、スピーカーユニット取り付け部材２０の同一の面に取り付けられている。中音スピーカーユニット３２Ｙと高音スピーカーユニット３３Ｙとは、スピーカーユニット取り付け部材２０の別の同一の面に取り付けられている。
【００１４】
スピーカーユニット取り付け部材２０は、少なくとも１つの中音スピーカーユニット３２および高音スピーカーユニット３３の音放射面Ｘと、別の少なくとも１つの中音スピーカーユニット３２および高音スピーカーユニット３３の音放射面Ｙとが別の方向を向くように構成されている。図示例では、スピーカーユニット取り付け部材２０は、中音スピーカーユニット３２Ｘおよび高音スピーカーユニット３３Ｘの音放射面Ｘと、中音スピーカーユニット３２Ｙおよび高音スピーカーユニット３３Ｙの音放射面Ｙとが別の方向を向くように構成されている。代表的には、音放射面Ｘおよび音放射面Ｙは何れも略鉛直面である。音放射面Ｘが向いている方向と音放射面Ｙが向いている方向との角度としては任意の適切な角度を採用でき、例えば５°〜１８０°、好ましくは１０°〜１５０°、より好ましくは１５°〜１２０°であり得る。図示例では、音放射面Ｘが向いている方向と音放射面Ｙが向いている方向との角度は約４５°である。
【００１５】
音放射面Ｘと音放射面Ｙとは、筐体１０の正面の長手方向に直交し且つ筐体１０の正面に直交する平面を対称面とする略面対称の関係にあり得る。図示例では、音放射面Ｘと音放射面Ｙとは、筐体１０の正面に直交し且つ長手方向に直交する平面を対称面とする略面対称の関係にある。
【００１６】
スピーカーユニット取り付け部材２０は、筐体１０への取り付けの向きが正面視で９０°変更可能となるように筐体１０に取り付けられている。スピーカーユニット取り付け部材２０の筐体１０への取り付けの向きが変更可能である正面視での９０°の回転方向は、１つ（左または右方向の何れか）であってもよいし、２つ（左右両方向）であってもよい。上記回転方向は１つのみであり得る。上記回転方向が１つのみであると、スピーカーユニット取り付け部材２０の取り付けの向きに制約がある場合でも、取り付けの向きを間違えないようにすることを構造的に保証できる。図示例では、スピーカーユニット取り付け部材２０は、筐体１０への取り付けの向きが正面視左回転でのみ９０°変更可能となるように筐体１０に取り付けられている。詳細は後述する。
【００１７】
スピーカーシステム１００は、筐体１０の正面の長手方向が水平面に対して略平行となるように設置した場合、および、筐体１０の正面の長手方向が鉛直面に対して略平行となるように設置した場合の何れであっても、音放射面Ｘおよび音放射面Ｙを略鉛直面とすることが可能であり得る。図１に示すスピーカーシステム１００は、筐体１０の正面の長手方向が水平面に対して略平行となるように設置されており、音放射面Ｘおよび音放射面Ｙは略鉛直面となっている。音放射面Ｘおよび音放射面Ｙのそれぞれにおける中音スピーカーユニット３２と高音スピーカーユニット３３との並び方向は、筐体１０の正面の短手方向に平行である。図４は、本実施形態のスピーカーシステム１００を、筐体１０の正面の長手方向が鉛直面に対して略平行となるように設置した状態の概略斜視図である。本状態では、図１で示した状態から、スピーカーユニット取り付け部材２０の筐体１０への取り付けの向きを正面視左回転で９０°変更している。本状態では、スピーカーユニット取り付け部材２０が低音スピーカーユニット３１よりも上側となっている。上記取り付けの向きの変更により、音放射面Ｘおよび音放射面Ｙのそれぞれにおける中音スピーカーユニット３２と高音スピーカーユニット３３との並び方向は、筐体１０の正面の長手方向に平行となっている。図４に示した状態、すなわち、上記取り付けの向きの変更および上記設置方向変更の後の状態では、放射面Ｘおよび音放射面Ｙは略鉛直面となっている。したがって、スピーカーシステム１００を、筐体１０の正面の長手方向が鉛直面に対して略平行となるように設置した場合であっても、音放射面Ｘおよび音放射面Ｙを略鉛直面とすることが可能である。
【００１８】
図３は、本実施形態に用いられるスピーカーユニット取り付け部材２０を示す概略背面斜視図である。図示例では、スピーカーユニット取り付け部材２０には、筐体１０に対向する面側に４つの永久磁石２１Ａ、２１Ｂ、２１Ｃおよび２１Ｄが設けられている。図示例では、永久磁石２１Ａ、２１Ｂ、２１Ｃおよび２１Ｄは正方形であるスピーカーユニット取り付け部材２０の各辺に設けられている。代表的には、永久磁石２１Ａ、２１Ｂ、２１Ｃおよび２１Ｄは正面視右回りまたは左回りにこの順に中心角９０°の間隔で設けられ得る。図示例では、永久磁石２１Ａ、２１Ｂ、２１Ｃおよび２１Ｄは、正面視右回りでこの順に中心角９０°の間隔で設けられている。代表的には、永久磁石２１Ａ、２１Ｂ、２１Ｃおよび２１Ｄは回転中心から等距離に設けられている。図示例では、４つの永久磁石２１Ａ、２１Ｂ、２１Ｃおよび２１Ｄは、上記正方形各辺中央部に設けられている。図示例では、永久磁石２１Ａ、２１Ｂ、２１Ｃおよび２１Ｄの筐体１０と対向する表面は、この順にＮ極、Ｎ極、Ｓ極およびＳ極に着磁している。
【００１９】
代表的には、筐体１０の、永久磁石２１Ａ、２１Ｂ、２１Ｃおよび２１Ｄに対向する位置に、それぞれ永久磁石１１ａ、非着磁磁性体１２ｂ、永久磁石１１ｃ、および非着磁磁性体１２ｄが設けられている。図示例では、永久磁石１１ａ、非着磁磁性体１２ｂ、永久磁石１１ｃ、および非着磁磁性体１２ｄは、正方形状の開口部１３の外縁部である正方形各辺中央部に設けられている。図示例では、永久磁石１１ａ、非着磁磁性体１２ｂ、永久磁石１１ｃ、および非着磁磁性体１２ｄは、正面視右回りでこの順に設けられている。非着磁磁性体の材料としては、任意の適切な材料を用いることができ、例えば、鉄、ステンレス、コバルト、およびニッケルが挙げられる。代表的には、永久磁石１１ａおよび１１ｃのスピーカーユニット取り付け部材２０と対向する表面がこの順にＳ極およびＮ極に着磁している。
【００２０】
スピーカーユニット取り付け部材２０に上記態様で永久磁石２１Ａ、２１Ｂ、２１Ｃおよび２１Ｄが設けられ、筐体１０に上記態様で永久磁石１１ａ、非着磁磁性体１２ｂ、永久磁石１１ｃ、および非着磁磁性体１２ｄが設けられることにより、スピーカーシステム１００において、スピーカーユニット取り付け部材２０は筐体１０への取り付けの向きが正面視で９０°変更可能となり、且つ、上記取り付けの向きは正面視左回転でのみ９０°変更可能となる。正面視右回転で９０°変更した場合には、スピーカーユニット取り付け部材２０に設けられた少なくとも１つの永久磁石と、筐体１０に設けられた永久磁石のうち上記少なくとも１つの永久磁石に上記変更後に対向する永久磁石との間で斥力が生じるからである。詳細は以下に説明する。
【００２１】
まず、スピーカーユニット取り付け部材２０の筐体１０に対する向きを変更していない状態では、スピーカーユニット取り付け部材２０は筐体１０に良好に取り付けられることを説明する。次に、スピーカーユニット取り付け部材２０の筐体１０に対する向きを正面視左回転で９０°変更した状態でも、スピーカーユニット取り付け部材２０は筐体１０に良好に取り付けられることを説明する。そして、正面視右回転で９０°変更した場合には、上記対向する永久磁石間で斥力が発生するので、スピーカーユニット取り付け部材２０は筐体１０に取り付けることができないことを説明する。
【００２２】
スピーカーユニット取り付け部材２０の筐体１０に対する向きを変更していない状態における、スピーカーユニット取り付け部材２０側の永久磁石２１Ａ、２１Ｂ、２１Ｃおよび２１Ｄと、筐体１０側の永久磁石１１ａ、非着磁磁性体１２ｂ、永久磁石１１ｃ、および非着磁磁性体１２ｄとについて、互いに対向する関係を表１に示す。永久磁石については、互いに対向する表面の極性についても表１に示す。表１に示したように、スピーカーユニット取り付け部材２０の筐体１０に対する向きを変更していない状態では、対向する永久磁石間で引力が発生し、且つ、対向する永久磁石と非着磁磁性体との間で引力が発生するので、スピーカーユニット取り付け部材２０は筐体１０に良好に取り付けられる。
【表１】
2015065496.tif 000003
【００２３】
スピーカーユニット取り付け部材２０の筐体１０に対する向きを正面視左回転で９０°変更した状態における、上記互いに対向する関係および上記互いに対向する表面の極性について表２に示す。表２に示したように、スピーカーユニット取り付け部材２０の筐体１０に対する向きを正面視左回転で９０°変更した状態でも、対向する永久磁石間で引力が発生し、且つ、対向する永久磁石と非着磁磁性体との間で引力が発生するので、スピーカーユニット取り付け部材２０は筐体１０に良好に取り付けられる。
【表２】
2015065496.tif 000004
【００２４】
スピーカーユニット取り付け部材２０の筐体１０に対する向きを正面視右回転で９０°変更した状態における、上記互いに対向する関係および上記互いに対向する表面の極性について表３に示す。表３に示したように、右回転で９０°変更した場合には、対向する２つの永久磁石間（すなわち、永久磁石２１Ｄと永久磁石１１ａとの間、および永久磁石２１Ｂと永久磁石１１ｃとの間）で斥力が発生するので、スピーカーユニット取り付け部材２０は筐体１０に取り付けることができない。
【表３】
2015065496.tif 000005
【００２５】
以上のように、スピーカーシステム１００においては、スピーカーユニット取り付け部材２０は筐体１０への取り付けの向きが正面視で９０°変更可能であり、且つ、上記取り付けの向きは正面視左回転でのみ９０°変更可能である。
【００２６】
図示例では、正方形状のスピーカーユニット取り付け部材２０に、上記正方形の四隅にネジ穴２４が４つ設けられている(図１および図３)。筐体１０の正面の、ネジ穴２４に対応する位置には、それぞれネジ穴１４が設けられている。具体的には、正方形状の開口部１３の外縁部である正方形の四隅にネジ穴１４が設けられている(図２)。図示例では、スピーカーユニット取り付け部材２０は、ネジ穴２４と対応するネジ穴１４とを通るネジ（図示せず）を介して、筐体１０に取り付けられている。
【００２７】
図示例では、筐体１０にダクト孔４１が設けられている。すなわち、ダクト４２がダクト孔４１に取り付けられている。ダクト孔４１は、筐体１０の正面の上辺中央部付近と下辺中央部付近にそれぞれ設けられている。ダクト孔４１の形状としては、任意の適切な形状を採用し得る。図示例では、ダクト孔４１は略円形である。ダクト４２の形状としては、任意の適切な形状を採用し得る。図示例では、ダクト４２は略円筒状である。
【００２８】
本発明の別の実施形態（第２の実施形態）として、第１の実施形態での筐体１０における永久磁石および／または非着磁磁性体と、スピーカーユニット取り付け部材２０における永久磁石とを入れ替えた実施形態が挙げられる。第２の実施形態では、スピーカーユニット取り付け部材の筐体への取り付けの向きが変更可能である正面視での９０°の回転方向は１つのみである。
【００２９】
さらに別の実施形態（第３の実施形態）として、第１の実施形態での筐体１０における永久磁石および非着磁磁性体を全て一方の極性に着磁した永久磁石とし、筐体の、上記永久磁石に対向する位置に、他方の極性に着磁した永久磁石が設けられた実施形態が挙げられる。第３の実施形態では、スピーカーユニット取り付け部材の筐体への取り付けの向きが変更可能である正面視での９０°の回転方向は２つである。
【００３０】
スピーカーユニット取り付け部材２０の取り付け手段としては、永久磁石以外の任意の適切な手段が採用され得る。代表例としては、ネジが挙げられる。以下、一例としてネジを用いる実施形態を説明する。図５は、本発明のさらに別の実施形態（第４の実施形態）によるスピーカーシステム１００’に用いられる筐体１０’およびスピーカーユニット取り付け部材２０’を示す概略斜視図である。スピーカーユニット取り付け部材２０’については背面斜視図を示す。スピーカーユニット取り付け部材２０’には、筐体１０’に対向する面側に３つのネジ穴２４Ａ、２４Ｂおよび２４Ｃが設けられている。ネジ穴２４Ａおよび２４Ｂは、正方形であるスピーカーユニット取り付け部材２０’の上辺の、それぞれ正面視左端および正面視右端に設けられている。ネジ穴２４Ｃは、スピーカーユニット取り付け部材２０’の下辺中央部に設けられている。筐体１０’の、ネジ穴２４Ａ、２４Ｂおよび２４Ｃに対向する位置には、それぞれネジ穴１４ａ、１４ｂおよび１４ｃが設けられている。さらに、筐体１０’に対する向きを正面視左回転で９０°変更した状態のスピーカーユニット取り付け部材２０’のネジ穴２４Ａ、２４Ｂおよび２４Ｃには、それぞれネジ穴１４ｄ、１４ａおよび１４ｅが対向するように、筐体１０’にネジ穴１４ｄおよび１４ｅが設けられている。さらに別の実施形態（第５の実施形態）として、第４の実施形態でのネジ穴の設置パターンを筐体１０’とスピーカーユニット取り付け部材２０’とで入れ替えた実施形態が挙げられる。第４および第５の実施形態では、スピーカーユニット取り付け部材の筐体への取り付けの向きが変更可能である正面視での９０°の回転方向は１つのみである。
【００３１】
上述のように本発明の実施形態について説明してきたが、本発明はこれらの実施形態に限定されず、本発明の作用効果を奏する限りにおいて任意の適切な改変が可能である。
【００３２】
上記改変としては、例えば、スピーカーユニット取り付け部材の筐体への取り付けの態様についての改変が挙げられる。具体的には、任意の適切な取り付け手段を任意の適切な態様（例えば、位置、大きさ、および形状）で追加したり、削除したり、上記態様を変更したりすることが挙げられる。以上の改変は単独で行ってもよく、組み合わせて行ってもよい。
【産業上の利用可能性】
【００３３】
本発明のスピーカーシステムは、広い指向性が要求される用途に好適に用いられ得、特に、カラオケ用スピーカーシステムとして好適に用いられ得る。
【符号の説明】
【００３４】
１０          筐体
１１、２１    永久磁石
１２          非着磁磁性体
１４、２４    ネジ穴
２０          スピーカーユニット取り付け部材
３１          低音スピーカーユニット
３２          中音スピーカーユニット
３３          高音スピーカーユニット
１００          スピーカーシステム
【図１】
2015065496.tif 000006
【図２】
2015065496.tif 000007
【図３】
2015065496.tif 000008
【図４】
2015065496.tif 000009
【図５】
2015065496.tif 000010